(57)【要約】【課題】利用者に提供する情報を一元的に管理するとともに、提供する情報の検索の際には、委託者の独自情報に関連付けることによって、構築、運営に労力やコストがかからず、少ない負荷で素早い検索が可能なＡＳＰデータベースシステムを提供する。【解決手段】委託者から情報処理の委託を受けたＡＳＰによって管理され、委託者が委託者サーバＳＡ１〜３において開設するＷｅｂサイトを介して、情報の提供を要求する利用者の通信端末ＰＣ１〜３に対し、通信ネットワークＮを介して情報を提供するＡＳＰデータベースシステムＳＹ１であって、利用者が必要とする基本情報を一元管理する基本情報ＤＢ１３０と、委託者の独自情報を管理する独自情報ＤＢ１４０と、利用者に提供する基本情報を、独自情報に関連付けて検索する情報検索部１８０とを有する。【選択図】　図１
2004070841.tif 000002
【特許請求の範囲】
【請求項１】
委託者からデータベース関連の情報処理の委託を受けたＡＳＰによって管理され、前記委託者が開設するＷｅｂサイトを介して情報の提供を要求する利用者に対し、通信ネットワークを介して情報を提供するＡＳＰデータベースシステムにおいて、
前記利用者が必要とする基本情報を一元管理する基本情報データベースと、
前記委託者の独自情報を管理する独自情報データベースと、
前記利用者に提供する前記基本情報を、前記独自情報に関連付けて検索する検索手段と、
を有することを特徴とするＡＳＰデータベースシステム。
【請求項２】
前記独自情報には、少なくとも、前記基本情報の検索範囲の絞り込みに関する絞り込み情報と、前記委託者に特有の情報とが含まれていることを特徴とする請求項１記載のＡＳＰデータベースシステム。
【請求項３】
前記委託者が開設するＷｅｂサイトのＷｅｂページに関して、前記委託者からのカスタマイズ要求を受け付けるカスタマイズ要求受付手段と、
前記カスタマイズ要求を管理するカスタマイズデータベースと、
前記カスタマイズ要求に応じて、カスタマイズされたＷｅｂページに関する情報を生成するカスタマイズ画面生成手段とを有することを特徴とする請求項１又は請求項２記載のＡＳＰデータベースシステム。
【請求項４】
委託者からデータベース関連の情報処理の委託を受けて、前記委託者が開設するＷｅｂサイトを介して情報の提供を要求する利用者に対し、コンピュータが通信ネットワークを介して情報を提供するＡＳＰデータベース提供方法において、
基本情報格納手段が、前記利用者が必要とする基本情報を格納し、
独自情報格納手段が、前記委託者の独自情報を格納し、
検索手段が、前記利用者に提供する前記基本情報を、前記独自情報に関連付けて検索することを特徴とするＡＳＰデータベース提供方法。
【請求項５】
前記独自情報には、少なくとも、前記基本情報の検索範囲の絞り込みに関する絞り込み情報と、前記委託者に特有の情報とが含まれ、
前記検索手段が、前記利用者に提供する前記基本情報を、前記絞り込み情報に基づいて検索し、検索された基本情報に、前記特有の情報を付加して、前記利用者に提供することを特徴とする請求項４記載のＡＳＰデータベース提供方法。
【請求項６】
カスタマイズ要求受付手段が、前記委託者が開設するＷｅｂサイトのＷｅｂページに関して、前記委託者からのカスタマイズ要求を受け付け、
カスタマイズ要求格納手段が、前記カスタマイズ要求を格納し、
カスタマイズ画面生成手段が、前記カスタマイズ要求に応じて、カスタマイズされたＷｅｂページに関する情報を生成することを特徴とする請求項４又は請求項５記載のＡＳＰデータベース提供方法。
【請求項７】
委託者からデータベース関連の情報処理の委託を受けて、前記委託者が開設するＷｅｂサイトを介して情報の提供を要求する利用者に対し、コンピュータを制御することにより通信ネットワークを介して情報を提供するＡＳＰデータベース用プログラムにおいて、
前記プログラムは前記コンピュータに、
前記利用者が必要とする基本情報を格納させ、
前記委託者の独自情報を格納させ、
前記利用者に提供する前記基本情報を、前記基本情報を前記独自情報に関連付けて検索させることを特徴とするＡＳＰデータベース用プログラム。
【請求項８】
前記独自情報には、少なくとも、前記基本情報の検索範囲の絞り込みに関する絞り込み情報と、前記委託者に特有の情報とが含まれ、
前記プログラムは前記コンピュータに、
前記利用者に提供する前記基本情報を、前記絞り込み情報に基づいて検索させ、
検索された基本情報に、前記特有の情報を付加して、前記利用者に提供させることを特徴とする請求項７記載のＡＳＰデータベース用プログラム。
【請求項９】
前記プログラムは前記コンピュータに、
前記委託者が開設するＷｅｂサイトのＷｅｂページに関して、前記委託者からのカスタマイズ要求を受け付けさせ、
前記カスタマイズ要求を格納させ、
前記カスタマイズ要求に応じて、カスタマイズされたＷｅｂページに関する情報を生成させることを特徴とする請求項７又は請求項８記載のＡＳＰデータベース用プログラム。
【発明の詳細な説明】
【０００１】
【従来の技術】
近年、コンピュータを用いた情報処理システム、とりわけデータベースシステムが普及している。その態様は、小規模の個人用を除いて、顧客企業ごとの要求に応じてオーダーメイドのソフトウェアが開発され、顧客企業側に引き渡されて実行されるものである。しかし、この場合、複数の顧客企業ごとに同じようなデータや、そのアプリケーションプログラムをそれぞれ別個独立に構築・管理すると、コストや手間が無駄に重複して非常に大きなものとなる。
【０００２】
そこで、ＡＳＰデータベースシステムが提案された。ここで、ＡＳＰは、アプリケーション・サービス・プロバイダ（アプリケーションサービス提供者）の意味で、そのような提供者側にアプリケーションプログラムとデータ（以下「アプリケーション等」と呼ぶ）があり、情報処理の委託者がレンタルやリースに準じて、インターネット等の通信ネットワーク経由でそれらアプリケーション等を利用するものである。
【０００３】
このような態様は、ＡＳＰシステムやＡＳＰ方式などとも呼ばれ、情報処理の委託者にとって、ハードウェア、ソフトウェア、保守などの初期投資や自前負担が不要となり、情報処理の低廉化が可能となる。
【０００４】
【発明が解決しようとする課題】
ところで、上記のような従来のＡＳＰ方式において、単純に複数の委託者のデータを一元化し、各委託者にそのデータを共有させても、情報処理に対する個別の委託者の需要と乖離する問題があった。すなわち、各委託者ごとに必要な情報が、ある限定された地域ごとの情報であったり、特定の項目のデータである場合、どの委託者にも無差別に全国のデータやすべての項目のデータを表示するのでは、利用者は膨大な不必要なデータの中から必要なデータを探さなくてはならず、不便である。また、各委託者によって表示したいデータの表示方法が異なったり、各委託者が管理する独自の情報を表示したい需要についても、従来のＡＳＰ方式における一元化されたデータでは対応が困難であった
【０００５】
例えば、データベースを一元管理するシステムの一例として、介護事業者検索システムを考える。かかるシステムは、従来、日本各地の自治体がそれぞれ同じようなデータを、各自治体が管理しており、データの構築と更新などの運営に非常に労力とコストがかかっていた。
【０００６】
そこで、日本全国で共通のデータベースを構築しそれをそれぞれの自治体にリンクすることでデータを一元管理し手間とコストを省こうとするシステムとして、厚生省のＷＡＭＮＥＴなどが開発された。しかし、その利用は低迷している。その理由は、上記の通り、例えば、新宿区の介護事業者を検索しようとしている利用者にとって、青森県や熊本県の情報までも表示している検索システムでは、その膨大な情報の中から所望の情報を見つけ出すのに手間がかかるからである。
【０００７】
さらに、かかるデータベースでは、日本全国共通の項目を整理することを優先するため、自治体によって必要としているデータ項目、見せ方、あるいはその自治体独自のデータ、例えば新宿区民の利用状況などは省略されていた。
【０００８】
本発明は、上記のような従来技術の問題点を解決するために提案されたもので、その目的は、利用者に提供する情報を一元的に管理するとともに、提供する情報の検索の際には、委託者の独自情報に関連付けることによって、構築、運営に労力やコストがかからず、少ない負荷で素早い検索が可能なＡＳＰデータベースシステム及びＡＳＰデータベース提供方法並びにＡＳＰデータベース用プログラムを提供することである。
【０００９】
【課題を解決するための手段】
上記の目的を達成するため、請求項１記載の発明は、委託者からデータベース関連の情報処理の委託を受けたＡＳＰによって管理され、前記委託者が開設するＷｅｂサイトを介して情報の提供を要求する利用者に対し、通信ネットワークを介して情報を提供するＡＳＰデータベースシステムにおいて、前記利用者が必要とする基本情報を一元管理する基本情報データベースと、前記委託者の独自情報を管理する独自情報データベースと、前記利用者に提供する前記基本情報を、前記独自情報に関連付けて検索する検索手段とを有することを特徴とする。
【００１０】
請求項４記載の発明は、請求項１記載の発明を方法の観点から捉えたものであり、委託者からデータベース関連の情報処理の委託を受けて、前記委託者が開設するＷｅｂサイトを介して情報の提供を要求する利用者に対し、コンピュータが通信ネットワークを介して情報を提供するＡＳＰデータベース提供方法において、基本情報格納手段が、前記利用者が必要とする基本情報を格納し、独自情報格納手段が、前記委託者の独自情報を格納し、検索手段が、前記利用者に提供する前記基本情報を、前記独自情報に関連付けて検索することを特徴とする。
【００１１】
請求項７記載の発明は、請求項１および請求項４記載の発明を、コンピュータにより実行可能なプログラムの観点から捉えたものであり、委託者からデータベース関連の情報処理の委託を受けて、前記委託者が開設するＷｅｂサイトを介して情報の提供を要求する利用者に対し、コンピュータを制御することにより通信ネットワークを介して情報を提供するＡＳＰデータベース用プログラムにおいて、前記プログラムは前記コンピュータに、前記利用者が必要とする基本情報を格納させ、前記委託者の独自情報を格納させ、前記利用者に提供する前記基本情報を、前記基本情報を前記独自情報に関連付けて検索させることを特徴とする。
【００１２】
以上のような請求項１、４および７記載の発明では、基本情報を一元管理し、検索は、委託者ごとの独自情報に関連付けて行なうので、データベースの構築、運営に労力がかからず、少ない負荷で素早い検索が可能となる。
【００１３】
請求項２記載の発明は、請求項１記載のＡＳＰデータベースシステムにおいて、前記独自情報には、少なくとも、前記基本情報の検索範囲の絞り込みに関する絞り込み情報と、前記委託者に特有の情報とが含まれていることを特徴とする。
【００１４】
請求項５記載の発明は、請求項２記載の発明を方法の観点から捉えたものでえあり、請求項４記載のＡＳＰデータベース提供方法において、前記独自情報には、少なくとも、前記基本情報の検索範囲の絞り込みに関する絞り込み情報と、前記委託者に特有の情報とが含まれ、前記検索手段が、前記利用者に提供する前記基本情報を、前記絞り込み情報に基づいて検索し、検索された基本情報に、前記特有の情報を付加して、前記利用者に提供することを特徴とする。
【００１５】
請求項８記載の発明は、請求項２および請求項５記載の発明をコンピュータにより実行可能なプログラムの観点から捉えたものであり、請求項７記載のＡＳＰデータベース用プログラムにおいて、前記独自情報には、少なくとも、前記基本情報の検索範囲の絞り込みに関する絞り込み情報と、前記委託者に特有の情報とが含まれ、前記プログラムは前記コンピュータに、前記利用者に提供する前記基本情報を、前記絞り込み情報に基づいて検索させ、検索された基本情報に、前記特有の情報を付加して、前記利用者に提供させることを特徴とする。
【００１６】
以上のような請求項２、５および８記載の発明では、基本情報の検索範囲を、委託者ごとの設定により絞り込むことができるとともに、委託者に特有の情報を負荷することができるので、利用者が真に必要な情報を素早く、容易に得ることができる。
【００１７】
請求項３記載の発明は、請求項１又は請求項２記載のＡＳＰデータベースシステムにおいて、前記委託者が開設するＷｅｂサイトのＷｅｂページに関して、前記委託者からのカスタマイズ要求を受け付けるカスタマイズ要求受付手段と、前記カスタマイズ要求を管理するカスタマイズデータベースと、前記カスタマイズ要求に応じて、カスタマイズされたＷｅｂページに関する情報を生成するカスタマイズ画面生成手段とを有することを特徴とする。
【００１８】
請求項６記載の発明は、請求項３記載の発明を方法の観点から捉えたものであり、請求項４又は請求項５記載のＡＳＰデータベース提供方法において、カスタマイズ要求受付手段が、前記委託者が開設するＷｅｂサイトのＷｅｂページに関して、前記委託者からのカスタマイズ要求を受け付け、カスタマイズ要求格納手段が、前記カスタマイズ要求を格納し、カスタマイズ画面生成手段が、前記カスタマイズ要求に応じて、カスタマイズされたＷｅｂページに関する情報を生成することを特徴とする。
【００１９】
請求項９記載の発明は、請求項３および請求項６記載の発明を、コンピュータによって実行可能なプログラムの観点から捉えたものであり、請求項７又は請求項８記載のＡＳＰデータベース用プログラムにおいて、前記プログラムは前記コンピュータに、前記委託者が開設するＷｅｂサイトのＷｅｂページに関して、前記委託者からのカスタマイズ要求を受け付けさせ、前記カスタマイズ要求を格納させ、前記カスタマイズ要求に応じて、カスタマイズされたＷｅｂページに関する情報を生成させることを特徴とする。
【００２０】
以上のような請求項３、６および９記載の発明では、各委託者の要求に応じて、データベースの利用者に提供するＷｅｂページをカスタマイズすることができるので、各委託者は、利用者に合わせた使いやすいインタフェースを提供することができる。
【００２１】
【発明の実施の形態】
次に、本発明の実施の形態（以下、実施形態とする）を、図面を参照して具体的に説明する。なお、本実施形態は、典型的にはコンピュータをソフトウェアで制御することで実現される。この場合のソフトウェアは、コンピュータのハードウェアを物理的に活用することで本発明の作用効果を実現するものであり、従来技術との共通部分には従来技術も適用される。
【００２２】
但し、この場合のハードウェアやソフトウェアの種類や構成、ソフトウェアで処理する範囲などは各種変更可能であり、例えばこのようなプログラムを記録したハードディスク、ＣＤ−ＲＯＭ、ＤＶＤ−ＲＯＭその他の種々の記録媒体は単独でも本発明の一態様である。
【００２３】
また、本実施形態に含まれる通信ネットワークについては、インターネットのみではなく、ＬＡＮなどのネットワーク構成を採用することも可能であり、将来登場するものを含め、多数者が接続可能な通信ネットワークを広く意味するものである。
【００２４】
［１．実施形態の構成］
本実施形態は、ＡＳＰに情報処理を委託する委託者が、通信ネットワーク経由で利用することができるＡＳＰデータベースシステムと、このＡＳＰデータベースシステム上で実行されるＡＳＰデータベース提供方法に関するもので、ＡＳＰデータベースを実現するためのコンピュータプログラムおよびこれを記録した記録媒体として把握することもできる。また、以下の説明中では、各種データベースをＤＢと表すものとする。
【００２５】
［１−１．ネットワークの全体構成］
まず、図１は、本実施の形態を構成するＡＳＰデータベースシステムＳＹ１と、このＡＳＰデータベースシステムＳＹ１に通信ネットワークＮを介して接続される他の要素を示す図である。ＡＳＰデータベースシステムＳＹ１は、例えば、インターネットの標準プロトコルによって、ＨＴＭＬおよびＣＧＩなどを用いて、Ｗｅｂページを介した情報の提供および入手、情報の検索、メールの送受信、その他の双方向の情報のやり取りをすることができるサーバ装置によって構成できる。このＡＳＰデータベースシステムＳＹ１は、ＡＳＰによって運営され、このＡＳＰによって任命された者（システム管理者等も含む）が、情報の入出力用の端末を介して、種々の情報処理を行なう。
【００２６】
なお、図１は、ＡＳＰデータベースシステムＳＹ１の各機能をブロック化した仮想的回路ブロック図である。これらの機能は、１台のサーバ装置によって実現することもできるが、ＷＷＷサーバ装置、アプリケーションサーバ装置、データベースサーバ装置等、複数台のサーバ装置が連携して処理を行なうシステムとして構成することも可能である。
【００２７】
ＳＡ１〜３は、ＡＳＰに情報処理を委託する委託者が開設するサーバである。この委託者サーバＳＡ１〜３も、ＡＳＰデータベースシステムＳＹ１と同様に、Ｗｅｂページを介した双方向の情報のやり取りをすることができるサーバ装置によって構成される。この委託者サーバＳＡ１〜３は、それぞれ１台のサーバ装置によって実現することもできるし、複数台のサーバ装置によって構成することもできる。また、委託者の数および委託者サーバＳＡ１〜３の数は、図１に示した数（３つ）に限定されるものではない。
【００２８】
ＰＣ１〜３は、委託者に情報の提供を要求する利用者が使う通信端末である。この通信端末ＰＣ１〜３としては、ブラウザを備えた周知のパーソナルコンピュータ、携帯電話、その他のモバイル通信機器を使用することができ、例えば、ダイヤルアップや常時接続などにより、通信ネットワークＮを経由してＡＳＰデータベースシステムＳＡ１〜３に接続される。利用者は、それぞれの通信端末ＰＣ１〜３を介して、その出力画面を参照しながら、情報入力、選択入力等の様々な作業を行うことができる。なお、これらの利用者の数及びこれに対応する通信端末ＰＣ１〜３の数は、図１に示した数（３つ）に限定されるものではない。
【００２９】
Ｘ１〜３は、利用者に商品を販売したりサービスを提供したりする事業者が管理する事業者サーバであり、Ｙ１〜３は、事業者に関する各種の情報を提供する情報提供者が管理する情報提供サーバである。これらの事業者サーバＸ１〜３、情報提供サーバＹ１〜３も、ＡＳＰデータベースシステムＳＹ１等と同様に、Ｗｅｂページを介した双方向の情報のやり取りをすることができるサーバ装置によって構成される。それぞれ１台のサーバ装置によって実現することもできるし、複数台のサーバ装置によって構成することもできる。また、各事業者および事業者サーバＸ１〜３の数、各情報提供者および各情報提供サーバＹ１〜３の数は、それぞれ図１に示した数（３つ）に限定されるものではない。さらに、Ｚ１は、ＡＳＰデータベースシステムＳＹ１からの情報に基づいて、冊子を印刷加工するサービスを提供する印刷加工サービス提供者が管理するサーバである。
【００３０】
［１−２．ＡＳＰデータベースシステムの構成］
次に、ＡＳＰデータベースシステムＳＹ１の構成を、図１の仮想的回路ブロック図を参照して説明する。すなわち、ＡＳＰデータベースシステムＳＹ１は、情報の送受信を制御するための通信制御部１００と、ページデータ生成部１１０、要求処理部１２０、基本情報ＤＢ１３０、基本情報加工部１３１、更新処理部１３２、独自情報ＤＢ１４０、カスタマイズＤＢ１５０、事業者登録ＤＢ１６０、利用者ＤＢ１７０、情報検索部１８０、マッチング処理部１９０、メール生成部１９１、発注部１９２等を備えている。
【００３１】
［１−２−１．ページデータ生成部の構成］
ページデータ生成部１１０は、ＡＳＰデータベースシステムＳＹ１が提供するＷｅｂページのデータを生成する手段である。なお、ページの生成に基本的に必要となるデータ、例えば、ＨＴＭＬタグ、テキストデータ、ＧＵＩ部品等は、所定の格納領域にあらかじめ用意されているが、周知の技術であるため説明は省略する。このページデータ生成部１１０は、カスタマイズ画面生成部１１２、独自情報入力画面生成部１１３、事業者用入力画面生成部１１４、利用者用入力画面生成部１１５等を備えている。
【００３２】
カスタマイズ設定画面生成部１１１は、利用者に情報を提供する際に通信端末ＰＣ１〜３に表示されるＷｅｂページについて、レイアウト、項目、タイトルなどを委託者の所望の設定とする、すなわちカスタマイズするために、委託者サーバＳＡ１〜３に表示されるページデータを生成する手段である。カスタマイズ画面生成部１１２は、設定されたカスタマイズ画面を、利用者のＰＣ１〜３に表示させるためのページデータを生成する手段である。
【００３３】
独自情報入力画面生成部１１３は、例えば、利用者に提供する情報を検索する際に、各委託者ごとに基本情報の検索範囲を絞り込むための絞り込み情報、各委託者に特有の情報等（以下、独自情報と呼ぶ）を入力するために、委託者サーバＳＡ１〜３に表示されるページデータを生成する手段である。事業者用入力画面生成部１１４は、利用者へのサービスの提供や商品の販売を希望する事業者が、ＡＳＰへ登録したり、自己の情報を提供したりするために、事業者サーバＸ１〜３に表示されるページデータを生成する手段である。利用者用入力画面生成部１１５は、利用者が、委託者を介して情報の提供を受けるために登録する際、その他の利用者に関する情報を更新する際等に、通信端末ＰＣ１〜３に表示されるページデータを生成する手段である。
【００３４】
［１−２−２．要求処理部の構成］
要求処理部１２０は、委託者、利用者、事業者、情報提供者等、通信ネットワークＮを介して入力されたＡＳＰデータベースシステムＳＹ１への各種の要求を処理する手段であり、カスタマイズ要求受付部１２１、検索要求受付部１２２、独自情報受付部１２３、事業者情報受付部１２４、利用者情報受付部１２５等を備えている。
【００３５】
カスタマイズ要求受付部１２１は、カスタマイズ設定画面を介して、委託者サーバＳＡ１〜３から送信されてきたカスタマイズ要求を受け付ける手段である。検索要求受付部１２２は、カスタマイズ画面を介して、利用者の通信端末ＰＣ１〜３から送信されてきた検索要求を受け付ける手段である。独自情報受付部１２３は、独自情報入力画面を介して、委託者サーバＳＡ１〜３から送信されてきた独自情報を受け付ける手段である。事業者情報受付部１２４は、事業者用入力画面を介して、事業者サーバＸ１〜３から送信されてきた事業者に関する情報を受け付ける手段である。利用者情報受付部１２５は、利用者用入力画面を介して、利用者の通信端末ＰＣ１〜３から送信されてきた利用者に関する情報を受け付ける手段である。
【００３６】
［１−２−３．各ＤＢその他の構成］
基本情報ＤＢ１３０は、各委託者から各利用者へ提供する基本的な情報（以下、基本情報とする）を格納するデータベースである。この基本情報は、情報提供者の情報提供サーバＹ１〜３からの情報を、基本情報加工部１３１によって加工処理したものを用いることができるが、独自情報ＤＢ１４０や、事業者登録ＤＢ１６０の内容を反映させたり、リンクさせたりすることもできる。更新処理部１３２は、基本情報ＤＢ１３０における基本情報を適宜更新する手段である。独自情報ＤＢ１４０は、独自情報受付部１２３によって受け付けた独自情報を格納するデータベースである。カスタマイズＤＢ１５０は、カスタマイズ要求受付部１２１によって受け付けたカスタマイズ要求に関するデータを格納するデータベースである。事業者登録ＤＢ１６０は、事業者情報受付部１２４によって受け付けた事業者を登録するデータベースである。利用者ＤＢ１７０は、利用者情報受付部１２５によって受け付けた利用者情報を格納するデータベースである。
【００３７】
情報検索部１８０は、検索要求受付部１２２によって受け付けた検索条件に基づいて、基本情報ＤＢ１３０における基本情報と、独自情報ＤＢ１４０における独自情報、事業者登録ＤＢ１６０における事業者情報とを関連づけて検索する手段である。なお、基本情報と独自情報のみとの関連付けによる検索、基本情報と事業者情報のみとの関連付けによる検索も可能である。マッチング処理部１９０は、事業者登録ＤＢ１６０における事業者情報と、利用者ＤＢ１７０における利用者情報とをマッチングさせる手段である。メール生成部１９１は、マッチング処理部１９０において適合すると判定された事業者サーバＸ１〜３に、利用者情報をメールにて通知する手段である。発注部１９２は、事業者を紹介する冊子を頒布するために、印刷、製本等を行なう印刷加工サービス提供者への発注を行なう手段である。このとき、例えば、発注は、メール生成部１９１から送信されるメールにて印刷サービス提供者のサーバＺ１宛に送信され、紙面に必要な情報は基本情報ＤＢ１３０等からサーバＺ１へ送信されるようにすることができる。
【００３８】
［２．実施形態の作用］
以上のように構成された本実施形態における処理の流れを説明する。なお、各サーバや端末が通信ネットワークＮを介して接続される際の手順、例えば、ＷｅｂブラウザによるＵＲＬ指定、ＤＮＡサーバを利用したＩＰアドレスの取得、目的ホストへのアクセス、トップページリクエスト、ページデータ受信、表示画面生成といった作用については、周知技術であるため説明を省略する。また、以下に述べる委託者サーバＳＡ１〜３、利用者の通信端末ＰＣ１〜３、事業者サーバＸ１〜３、情報提供サーバＹ１〜３における選択入力や、文字入力等の操作は、典型的には、マウスによってカーソルを表示部に合わせて、クリックすることによって行なうが、タッチパネル、キーボード、リモコンスイッチその他のあらゆる入力装置によっても行なうことができる。
【００３９】
［２−１．基本情報の登録］
まず、情報提供者からの情報に基づいて、ＡＳＰデータベースシステムＳＹ１に基本情報を登録する際の手順を説明する。すなわち、ＡＳＰデータベースシステムＳＹ１において、情報提供サーバＹ１〜３から基本情報となるデータを受信した場合には、基本情報加工部１３１において、受信データが統一した形式に変換され、全く新規な内容のデータの場合には、そのまま基本情報ＤＢ１３０に格納される。従来からあるデータの更新データの場合には、基本情報ＤＢ１３０に格納される際に、更新処理部１３２による更新処理が行なわれる。
【００４０】
例えば、本実施形態を、介護事業者の情報を検索し提供するためのデータベースに適用した場合には、基本情報の内容としては、介護事業者の番号、事業者名、住所、電話番号等が挙げられる。また、情報提供者としては、厚生省、医療事業者、保険外事業者団体等が考えられる。基本情報加工部１３１における変換処理としては、レコード中の各フィールドを、コンマで区切るＣＳＶ形式とすることが考えられるが、あらかじめ情報提供サーバＹ１〜３側でかかる形式のデータとして変換したものを受信するようにしてもよい。また、更新処理部１３２における更新処理としては、受信データに含まれる更新日を読み取り最新データを優先して書き込む、あらかじめ登録されている日本全国の住所データと事業者データを比較して、不一致部分を抽出して上書きする、あらかじめ登録されている日本全国の電話番号データと事業者データを比較し、空白部分を抽出して上書きする等が考えられる。
【００４１】
［２−２．事業者の登録］
次に、利用者に対してサービスの提供や商品の販売を希望する事業者が、ＡＳＰデータベースシステムＳＹ１へ登録する際の処理を説明する。すなわち、ＡＳＰデータベースシステムＳＹ１は、例えば、事業者サーバＸ１からのページリクエストを受信した場合には、事業者用入力画面生成部１１４は、事業者用の入力ページデータを生成して、当該事業者サーバＸ１へ送信する。これを受信した事業者サーバＸ１においては、事業者用入力画面が表示される。
【００４２】
事業者は、入力画面を参照しながら、必要事項を入力して送信する。これを受信したＡＳＰデータベースシステムＳＹ１においては、事業者情報受付部１２４においてこれを受け付けて、その情報を事業者登録ＤＢに登録する。なお、既に登録済の事業者が、登録内容を更新する場合にも、上記と同様に、事業者用入力画面から入力することによって更新することができる。
【００４３】
このように入力される情報の例としては、例えば、登録される事業者を介護事業者として、この介護事業者を検索するシステムの場合、介護事業者の番号、名称、介護サービスの空き情報や、各事業者が利用者に対してアピールする情報などが考えられる。介護事業者の番号のように、キーとなる情報に基づいて、基本情報ＤＢ１３０に登録された情報と関連付けることもできる。また、事業者として登録されることにより、利用者に優先的に紹介したり、登録された事業者のみを利用者に紹介するなどの利点を付与することによって、登録を促すことができる。この際、システムを運営するＡＳＰが、事業者に対して課金することも自由である。
【００４４】
［２−３．独自情報の設定］
次に、委託者による独自情報の設定の手順を、図２のフローチャートを参照して説明する。すなわち、あらかじめＡＳＰへアプリケーションサービスの供給を委託する契約を行った委託者は、例えば、委託者サーバＳＡ１を用いて、ＡＳＰデータベースシステムＳＹ１へアクセスして、独自情報入力画面のページリクエストを送信する。このページリクエストを受信したＡＳＰデータベースシステムにおいては（ステップ２０１）、独自情報入力画面生成部１１３が、独自情報入力画面のページデータを生成し（ステップ２０２）、これが委託者サーバＳＡ１へ送信される（ステップ２０３）。これを受信した委託者サーバＳＡ１においては、独自情報入力画面が表示される。
【００４５】
委託者は、入力画面を参照しながら、独自情報を入力して送信する。これを受信したＡＳＰデータベースシステムＳＹ１においては（ステップ２０４）、独自情報受付部１２３においてこれを受け付けて（ステップ２０５）、その情報を独自情報ＤＢ１４０に登録する（ステップ２０６）。なお、既に登録された独自情報を更新する場合にも、上記と同様に、独自情報入力画面から入力することによって更新することができる。
【００４６】
このように入力される独自情報としては、例えば、委託者が自治体であって、利用者である市民に介護事業者を検索するサービスを提供するシステムとした場合について説明する。すなわち、例えば、自治体が新宿区ならば、独自情報としては、まず、検索範囲の絞り込み情報となる「新宿区に所在しているか、新宿区を営業範囲とする事業者」、新宿区が必要とする項目（例えば電話番号は必要だがＦＡＸ番号は必要ないなど）がある。
【００４７】
また、独自情報として、委託者に特有の情報には、以下のような情報がある。例えば、図３に示すように、事業者番号、事業者名、住所、電話番号というような項目はどの自治体が公開する場合も一様であり、共通のデータを使用して支障がない。しかし、新宿区民の利用実績、新宿区の評価などは同じ事業者に対して自治体ごとに情報が異なることになる。通常、事業者は複数の自治体の利用者にサービスを提供しているが、郊外の自治体に多い家族と同居する老人に対してのサービスと、都市部自治体に比較的多い独居老人に対してのサービス、移動手段に対しての評価は自治体ごとに違うことになり、新宿区では満点でも国立市にとっては落第点ということもありうる。このような情報も独自情報とすることができる。さらに、例えば、事業者リストの並び順なども、独自情報に含めることができる。
【００４８】
［２−４．カスタマイズ］
次に、委託者の要求に応じて、利用者に提供する画面をカスタマイズする手順を、図４のフローチャートを参照して説明する。すなわち、委託者は、例えば、委託者サーバＳＡ１を用いて、ＡＳＰデータベースシステムＳＹ１へアクセスして、カスタマイズ設定画面のページリクエストを送信する。このページリクエストを受信したＡＳＰデータベースシステムにおいては（ステップ４０１）、カスタマイズ設定画面生成部１１１が、カスタマイズ設定画面を生成し（ステップ４０２）、これが委託者サーバＳＡ１へ送信される（ステップ４０３）。これを受信した委託者サーバＳＡ１においては、カスタマイズ設定画面が表示される。
【００４９】
委託者は、入力画面を参照しながら、カスタマイズ情報を入力して送信する。これを受信したＡＳＰデータベースシステムＳＹ１においては（ステップ４０４）、カスタマイズ要求受付部１２１においてこれを受け付けて（ステップ４０５）、その情報をカスタマイズＤＢ１５０に登録する（ステップ４０６）。なお、既に登録されたカスタマイズ情報を更新する場合にも、上記と同様に、カスタマイズ設定画面から入力することによって更新することができる。
【００５０】
このようなカスタマイズ設定画面の例を、図５〜１０に示す。図５は、検索画面のタイトルの設定ができる画面である。この画面では、メインタイトル画像を選択するラジオボタン、タイトル文字列を入力するテキストボックス、タイトル文字の色、サイズを選択するためのリストボックス、独自のタイトル画像を使用する場合のアップロード用のファイル等を指定するための表示等が含まれている。図６は、検索画面のレイアウトの設定ができる画面である。この画面では、利用者の通信端末ＰＣ１〜３に応じて、パソコン用の画面か携帯電話用の画面かを選択できるリストボックス、地図検索を行った場合の地図表示エリア、検索条件入力エリア及び検索結果リスト表示エリアのレイアウトを選択できるラジオボタン、背景画像を選択するラジオボタン、基本背景色、文字基本色やサイズを選択するリストボックス等が含まれている。
【００５１】
図７は、検索方法パターンの設定ができる画面である。この画面では、中心点とする住所の指定方法を選択できるラジオボタン、郵便番号検索、駅名検索の使用の有無を選択できるラジオボタンが含まれている。図８は、表示項目の設定ができる画面である。この画面では、表示項目を選択するチェックボックスが含まれている。図９は、検索範囲を設定できる画面である。この画面では、委託者のホームページへのリンク先ＵＲＬ、検索する対象範囲を絞り込むためのＳＱＬ文入力用テキストボックスが含まれている。図１０は、検索結果の整列順の設定ができる画面である。この画面には、１番目からＮ番目までの項目設定のための表示が含まれている。
【００５２】
図１１は、キーワード検索の設定ができる画面である。この画面では、キーワード検索を用意するか否か、用意する対象項目等を選択するチェックボックス、表示名称、表示順序等を入力するテキストボックス、検索文字列入力方式（キーワード・チェックボックス・プルダウン等）を選択するラジオボタン等が含まれている。図１２は、検索条件の頁で検索する項目を設定できる画面である。この画面では、検索項目として採用する対象を選択するチェックボックス、選択項目の表示文字列、表示順などを入力するテキストボックス等が含まれている。
【００５３】
委託者は、以上のような図５〜１２に例示した画面におけるラジオボタン、チェックボックス、リストボックス、テキストボックス等に対して、選択入力若しくは文字入力等を行なうと、この情報が、上記のように、カスタマイズＤＢ１５０に登録される。なお、カスタマイズ設定画面を、利用者の通信端末ＰＣ１〜３に送信して表示させ、利用者が、上記のような種々の選択を行なってカスタマイズする構成とすることも可能である。
【００５４】
［２−５．利用者登録］
次に、委託者サーバＳＡ１〜３のＷｅｂサイトを介して、情報の提供を受ける利用者の登録処理を説明する。すなわち、ＡＳＰデータベースシステムＳＹ１は、例えば、利用者の通信端末ＰＣ１からのアクセスを受けた委託者サーバＳＡ１のページリクエストを受信すると、利用者用入力画面生成部１１５が、利用者用の入力ページデータを生成して、当該利用者の通信端末ＰＣ１へ送信する。これを受信した通信端末ＰＣ１において、利用者用入力画面が表示される。
【００５５】
利用者は入力画面を参照しながら、登録に必要な事項を入力して送信する。この情報を受信したＡＳＰデータベースシステムＳＹ１においては、利用者情報受付部１２５がこれを受け付けて、その情報を利用者ＤＢに登録する。なお、既に登録済の利用者が、登録内容を更新する場合にも、上記と同様に、事業者用入力画面から入力することによって更新することができる。このような登録情報については、例えば、利用者の氏名、住所、年齢、性別、電話番号、メールアドレス、ＩＤ、パスワード等の他に、希望するサービスや商品などの利用者のニーズに関する情報なども含まれる。
【００５６】
［２−６．情報検索］
次に、委託者サーバＳＡ１〜３のＷｅｂサイトを介して、利用者が情報の提供（検索サービスの提供）を受ける手順を、図１３を参照して説明する。すなわち、ＡＳＰデータベースシステムＳＹ１は、例えば、登録した利用者の通信端末ＰＣ１のアクセスを受けた委託者サーバＳＡ１から、ページリクエストを受信すると（ステップ１３０１）、カスタマイズ画面生成部１１２が、カスタマイズＤＢ１５０におけるカスタマイズ情報に基づいて、その委託者に応じてカスタマイズされたカスタマイズ画面を生成して（ステップ１３０２）、通信端末ＰＣ１に送信するので（ステップ１３０３）、通信端末ＰＣ１においてカスタマイズ画面が表示される。
【００５７】
利用者は、カスタマイズ画面を参照しながら、検索条件等を入力して送信する。これを受信したＡＳＰデータベースシステムＳＹ１においては（ステップ１３０４）、検索要求受付部１２２がこれを受け付けて（ステップ１３０５）、その検索条件に基づいて、情報検索部１８０による検索が行なわれる（ステップ１３０６）。この検索要求に含まれる情報を、利用者のニーズに関する情報として、利用者情報受付部１２５において受け付けて、利用者ＤＢ１７０に登録されるデータに含めて管理することも可能である。
【００５８】
このとき、検索される範囲は、対応する委託者サーバＳＡ１についてあらかじめ設定された独自情報ＤＢ１４０における絞り込み情報に基づいて、絞り込まれる。また、検索された情報には、独自情報ＤＢ１４０における特有の情報が付加される。さらに、事業者登録ＤＢ１６０における情報を付加することもできる。そして、検索結果を含むカスタマイズ画面のページデータが、カスタマイズ画面生成部１１２によって生成され（ステップ１３０７）、委託者サーバＳＡ１へ送信される（ステップ１３０８）。これを受信した委託者サーバＳＡ１は、通信端末ＰＣ１に送信するので、通信端末ＰＣ１において検索結果を含むカスタマイズ画面が表示される。
【００５９】
例えば、上記の例のように、独自情報として、「新宿区に所在しているか、新宿区を営業範囲とする事業者」、新宿が必要とする項目等の絞り込み情報が設定されている場合には、検索範囲がその範囲に絞り込まれる。また、事業者番号、事業者名、住所、電話番号というような項目に加えて、新宿区民の利用実績、新宿区の評価などの新宿区に特有のデータが付加されて表示される。並び順が設定されている場合には、その並び順に従って表示される。
【００６０】
また、基本情報としては、事業者の種類に応じて、種々のものが考えられるが、例えば、地図データを含めて、本実施形態を、地図検索を可能とするシステムとして構成することも可能である。この場合には、基本情報ＤＢ１３０に地図データを含めることも可能であるが、別に地図ＤＢを設け、事業者の緯度経度情報を含む基本情報ＤＢ１３０と連携させることによって、負担軽減を図ることもできる。
【００６１】
つまり、検索要求受付部１２２において、例えば、利用者の通信端末ＰＣ１からの検索要求（利用者の位置情報を含む）を受け付けた場合には、情報検索部１８０は、基本情報ＤＢ１３０における事業者の緯度経度情報に基づいて、利用者の位置を中心点として、あらかじめ設定された若しくは任意の範囲の事業者の位置情報が検索される。地図ＤＢは、この利用者と事業者の位置情報に基づいて、地図データを抽出し、この地図データを含むカスタマイズ画面が、カスタマイズ画面生成部１１２において生成されて、利用者の通信端末ＰＣ１に送信される。利用者が通信端末ＰＣ１に表示された事業者アイコンを選択すると、その事業者の検索要求を、検索要求受付部１２２が受け付け、情報検索部１８０が、基本情報ＤＢ１３０および事業者登録ＤＢ１６０から、該当する事業者の詳細情報を検索する。この検索結果も、カスタマイズ画面生成部１１２によって生成されるカスタマイズ画面に含められて、通信端末ＰＣ１に送信される。
【００６２】
このような地図検索のカスタマイズ画面例を、図１４〜１６を参照して説明する。まず、図１４および図１５は、宅配ピザの検索例である。例えば、宅配サービスなどを検索する場合、宅配先は自宅や職場などが多く、その場合、宅配先の住所、郵便番号等を正確に入力できる場合が多い。この場合、プルダウンメニューなどで住所を選択するよりも、直接入力する方が素早く検索できで、利便性が高い。また、宅配サービスの場合、地図表示画面で店舗位置を表示するだけでなく、その宅配範囲に関する情報も必要であるため、各店舗ごとのサービスエリアを色分け表示する。すなわち、図１４に示すように、宅配してもらいたい自宅や職場の住所か郵便番号を入力し、検索ボタンを選択する。すると、図１５に示すように、指定した住所や郵便番号の地点を中心にして、地図が表示される。各店舗の宅配地域は色別で表示される。この地図画面の宅配エリアか下部のリストの店舗名を選択すると、該当店舗の宅配商品の詳細な画面が表示され、注文も同時にできる。
【００６３】
また、図１６は、不動産物件検索例である。例えば、不動産物件などを探す場合、希望地周辺の大体の地名や駅名を知っているが、地名や郵便番号を間違いなく入力できるほど正確に知らないことが多い。そのような場合、地名や駅名のプルダウン検索方法が有効となる。すなわち、図１６に示すように、不動産物件を探したい地域を、プルダウンで地名か駅名を選択するか、キーワードに入力するかをして、「検索ボタン」を選択する。すると、検索画面で指定した地名・駅名を中心とした地図が表示され、表示された地図内にある物件がアイコンで表示される。そして、地図画面で表示されていた物件のアイコンを選択すると、該当物件の詳細な情報が表示される。
【００６４】
なお、例えば、上記の各例の地図表示において、自宅や職場など自分が今居る場所を中心にして、近くにある目的の対象物を地図上に表示させると、目的の対象物を一発で見付けることができる。また、自宅からのルートや距離の確認がすぐにできる。
【００６５】
［２−７．マッチング］
次に、利用者のニーズと事業者の情報とのマッチングを行ない、これに基づいて、利用者および事業者へ情報を提供する手順を説明する。すなわち、ＡＳＰによる指示入力に応じて、又は所定の期間若しくは蓄積された情報量に応じて自動的に、マッチング処理部１９０が、利用者ＤＢ１７０に格納された利用者のニーズに関する情報と、事業者登録ＤＢ１６０に格納された事業者情報とのマッチングを行なう。利用者のニーズに適合する事業者が存在する場合には、メール生成部１９１が、少なくともその旨とその利用者への連絡手段が含まれたメールを生成し、事業者サーバＸ１〜３へ送信する。これを受信した事業者サーバＸ１〜３は、利用者ごとに適応した連絡手段で、利用者に回答を行なう。例えば、メール、電話、ＦＡＸ、郵送のいずれか若しくはこれらの組合せによって回答する。
【００６６】
［２−８．印刷依頼］
さらに、基本情報ＤＢ１３０、独自情報ＤＢ１４０、事業者登録ＤＢ１６０において管理されている情報を、冊子として定期的に頒布することも可能である。すなわち、発注部は、ＡＳＰによる指示入力に応じて若しくは定期的に、あらかじめ契約している印刷加工サービス提供者のサーバＺ１に対して、基本情報ＤＢ１３０、独自情報ＤＢ１４０、事業者登録ＤＢ１６０において管理されている事業者リスト等と、利用者ＤＢ１７０において管理されている利用者の宛名、住所等に関する情報を、印刷加工依頼とともに送信する。印刷加工サービス提供者は、サーバＺ１において受信したデータに基づいて、事業者リストの印刷、製本、利用者宛、事業者宛のタックシール等の印刷を行ない、製本された事業者リストにタックシールを貼付して、利用者、事業者に送付する。
【００６７】
［３．実施形態の効果］
以上のような本実施形態によれば、基本情報をＡＳＰ側で一元的に管理しながら、委託者や利用者ごとに必要な範囲のデータを、独自情報の設定により絞り込んで検索することができるので、素早く効率のよい検索と情報の提供が可能となる。さらに、検索された情報には、委託者や利用者の特有の情報を付加させることができるので、利用者に対しては、各委託者が独自のデータベースを持っているかのように見せることができ、真に必要な情報を容易に提供することができる。
【００６８】
また、基本情報を一元的に管理しつつ、これに独自情報を関連付けて情報を提供しているので、各委託者ごとに分散して情報を管理する場合に比べて、全体のデータ量を小さくすることができる。
【００６９】
また、基本情報は一元的に管理されているので、その追加、削除、更新等のメンテナンスは、分散管理されている場合に比べて、遥かに容易となり、データの統一性、整合性を維持しやすい。事業者の変更が頻繁に行なわれるような場合であっても、かかる事業者情報の更新に手間がかからず、省力化できる。例えば、介護保険は、利用者の取捨選択により事業者の淘汰によって介護サービスの質を向上させることを目的としているため、事業者の開業、廃業、統合、サービス内容の変更が頻繁に行なわれるようになった。従って、本実施形態を介護事業者情報の検索に用いた場合には、このような頻繁な更新にも対応しやすい。
【００７０】
また、一元的に管理している情報に基づいて、事業者や利用者へマッチング情報を提供したり、広く冊子を頒布したりすることもできるので、多機能な情報提供システムとして運用することが可能となる。
【００７１】
また、委託者や利用者の要求に応じてカスタマイズされた画面を用いて、データベースを利用することができるので、個々の利用者にとって、真に使いやすいデータベースになる。例えば、高齢者、視力や色覚に関して通常の画面では困難を感じる人等に合わせて、種々のレイアウト等を選択することによって、利便性を向上させることができる。音声データを付加して情報を提供することも可能である。また、同じ委託者であっても、利用者に合わせて、提供するカスタマイズ画面を複数種用意することも可能である。例えば、一般の利用者用、高齢者用、ケアマネージャ等の専門家用といったカスタマイズ画面を提供することも可能である。
【００７２】
さらに、一般的に、アプリケーション開発を行なう場合には、その初期段階において、委託者等との打ち合わせにより画面レイアウト等の外部設計を決定してから、内部設計等に移行するため、個々の委託者に応じたアプリケーションサービスの提供を行なう場合には、個別のアプリケーションを多数準備する必要がある。しかし、本実施形態においては、委託者の要求に合わせて適宜画面をカスタマイズできるので、共通のアプリケーションを活用しつつも、多様な委託者の要求に合わせて、個別の画面を容易に提供でき、ＡＳＰ側の開発コストを大幅に節約することができる。その設定内容も、上記例の通り、委託者等にとって操作し易いインタフェースで、詳細に決定することができるので、個々の委託者等に応じた木目細かい対応が可能となる。
【００７３】
［４．他の実施形態］
本発明は、上記のような実施形態に限定されるものではない。例えば、委託者、事業者、利用者、情報提供者としては、地方公共団体、介護サービス事業者、個人、官公庁に限定されるものではなく、病院、学校、警察、消防署、税務署等の公共施設、デパート、スーパーマーケット、家電量販店等の各種商品販売者、銀行、郵便局、宅配便業者、飲食店等の各種サービス提供者など、あらゆる者が適用可能である。いずれの者が、委託者、事業者、利用者、情報提供者になるかについても自由である。
【００７４】
また、表示画面の表示内容やレイアウトは、上記の実施の形態で示したものには限定されず、各者の利便性を考慮したあらゆる態様が適用可能である。例えば、事業者の登録情報を更新するためのメンテナンス画面例として、図１７および図１８に示すようなものが考えられる。図１７は、事業者や店舗の位置を地図上から微調整できる画面例である。すなわち、住所を入力して地図を表示すると、その場所にフラグが表示される。その位置が、実際の場所と異なっている場合には、正確な地図上の場所を選択する。すると、そこにフラグが移動するので、その位置でよい場合には、「フラグ位置決定」を選択する。これにより、その位置の緯度経度情報が登録される。
【００７５】
図１８は、事業所や店舗の移転による住所変更や削除・店舗の新設など、店舗データを更新するための画面例である。すなわち、リスト表示された店舗名のうち、廃止された店舗に対応するチェックボックスにチェックして、一括削除ボタンを選択すると、そのデータが一括で削除される。また、移転された店舗がある場合には、それに対応するチェックボックスにチェックして、一括更新ボタンを選択すると、更新画面において更新内容を入力して更新することができる。追加された店舗がある場合には、追加ボタンを選択すると、更新画面において追加店舗を入力して更新することができる。
【００７６】
また、ページ生成及びデータベース検索等に用いられる文書形式やインターフェースは、上記の実施の形態に例示したものには限定されず、ＸＭＬやＡＳＰ等の現在又は将来において適用可能なあらゆるものが含まれる。
【００７７】
また、委託者、事業者等に対して、どの段階で課金を行なうかはＡＳＰが自由に設定可能である。例えば、登録する際に登録料を請求するように設定することもできるし、実際に利用者への情報の提供があった場合に、委託者及び事業者の双方若しくはいずれか一方に課金するように設定することもできる。委託者及び事業者の双方若しくはいずれか一方が無料で利用できるように設定することも可能である。
【００７８】
【発明の効果】
利用者に提供する情報を一元的に管理するとともに、提供する情報の検索の際には、委託者の独自情報に関連付けることによって、構築、運営に労力やコストがかからず、少ない負荷で素早い検索が可能なＡＳＰデータベースシステム及びＡＳＰデータベース提供方法並びにＡＳＰデータベース用プログラムを提供することができる。
【図面の簡単な説明】
【図１】本発明の実施形態の一例を示す機能ブロック図。
【図２】本発明の実施形態における独自情報の登録処理を示すフローチャート。
【図３】本発明の実施形態における検索情報例を示す説明図。
【図４】本発明の実施形態におけるカスタマイズ処理を示すフローチャート。
【図５】本発明の実施形態における検索画面タイトルの設定画面例を示す図。
【図６】本発明の実施形態における検索画面レイアウトの設定画面例を示す図。
【図７】本発明の実施形態における検索方法パターンの設定画面例を示す図。
【図８】本発明の実施形態における表示項目の設定画面例を示す図。
【図９】本発明の実施形態における検索範囲の設定画面例を示す図。
【図１０】本発明の実施形態における整列順の設定画面例を示す図。
【図１１】本発明の実施形態における検索キーワードの設定画面例を示す図。
【図１２】本発明の実施形態における検索項目の設定画面例を示す図。
【図１３】本発明の実施形態における情報検索処理を示すフローチャート。
【図１４】本発明の実施形態における宅配ピザの地図検索要求画面例を示す図。
【図１５】本発明の実施形態における宅配ピザの検索における周辺地図画面例を示す図。
【図１６】本発明の実施形態における不動産物件の地図検索要求画面例を示す図。
【図１７】本発明の他の実施形態における事業所・店舗位置データのメンテナンス画面例を示す図。
【図１８】本発明の他の実施形態における事業所・店舗登録データのメンテナンス画面例を示す図。
【符号の説明】
１００…通信制御部
１１０…ページデータ生成部
１１１…カスタマイズ設定画面生成部
１１２…カスタマイズ画面生成部
１１３…独自情報入力画面生成部
１１４…事業者用入力画面生成部
１１５…利用者用入力画面生成部
１２０…要求処理部
１２２…カスタマイズ要求受付部
１２２…検索要求受付部
１２３…独自情報受付部
１２４…事業者登録受付部
１２５…利用者情報受付部
１３０…基本情報ＤＢ
１３１…基本情報加工部
１３２…更新処理部
１４０…独自情報ＤＢ
１５０…カスタマイズＤＢ
１６０…事業者登録ＤＢ
１７０…利用者ＤＢ
１８０…情報検索部
１９０…マッチング処理部
１９１…メール生成部
１９２…発注部
Ｎ…通信ネットワーク
ＰＣ１…通信端末
ＳＡ１…委託者サーバ
ＳＹ１…ＡＳＰデータベースシステム
Ｘ１…事業者サーバ
Ｙ１…情報提供サーバ
Ｚ１…サーバ
【図１】
2004070841.tif 000003
【図２】
2004070841.tif 000004
【図３】
2004070841.tif 000005
【図４】
2004070841.tif 000006
【図５】
2004070841.tif 000007
【図６】
2004070841.tif 000008
【図７】
2004070841.tif 000009
【図８】
2004070841.tif 000010
【図９】
2004070841.tif 000011
【図１０】
2004070841.tif 000012
【図１１】
2004070841.tif 000013
【図１２】
2004070841.tif 000014
【図１３】
2004070841.tif 000015
【図１４】
2004070841.tif 000016
【図１５】
2004070841.tif 000017
【図１６】
2004070841.tif 000018
【図１７】
2004070841.tif 000019
【図１８】
2004070841.tif 000020